【手続補正書】
【提出日】平成20年5月21日(2008.5.21)
【手続補正１】
【補正対象書類名】特許請求の範囲
【補正対象項目名】全文
【補正方法】変更
【補正の内容】
【特許請求の範囲】
【請求項１】
複数の記録素子と、
前記複数の記録素子を駆動するために用いる定電流を発生する定電流源と、
外部から入力される論理信号に従って、前記定電流を発生させるための基準電流を生成する基準電流生成回路と、
前記基準電流生成回路で生成した基準電流に応じて前記定電流源を駆動させることによって得られる前記定電流によって前記複数の記録素子を駆動させる駆動素子とを有し、
前記基準電流生成回路は、
ｎビットの論理信号を入力して一時的に格納するｎビットシフトレジスタと、
前記ｎビットシフトレジスタに格納された前記ｎビットの論理信号をラッチするラッチ回路と、
異なるレベルの電流を発生するｎ個の駆動回路と、
前記ｎ個の駆動回路により夫々発生した電流の総和を前記基準電流として出力する出力回路とを含み、
前記ｎ個の駆動回路は、前記ラッチ回路から出力される前記ｎビットの論理信号に従って選択駆動されることを特徴とする記録ヘッド用基板。
【請求項２】
前記ｎ個の駆動回路から発生する電流のレベルには、前記電流の最大レベルから降順に１／２ずつの重み付けがなされており、
前記電流の総和としての基準電流は、２n種類のレベルで可変にすることができることを特徴とする請求項１に記載の記録ヘッド用基板。
【請求項３】
前記基準電流生成回路は、
前記ラッチ回路から出力される前記ｎビットの論理信号に従って、２n種類のレベルの電圧を出力可能な電圧調整回路と、
前記電圧調整回路から電圧を変換して前記基準電流を出力する電圧−電流変換回路とをさらに有することを特徴とする請求項１に記載の記録ヘッド用基板。
【請求項４】
前記基準電流生成回路と定電流源とによりカレントミラー回路を構成していることを特徴とする請求項１に記載の記録ヘッド用基板。
【請求項５】
複数のヒータと、前記複数のヒータ夫々に対応して設けられ前記ヒータを駆動するための駆動素子とを含む複数の記録素子と、
前記複数の記録素子を駆動するために用いる定電流を発生する定電流源と、
外部から入力される論理信号に従って、前記定電流を発生させるための基準電流を生成する基準電流生成回路とを有し、
前記駆動素子は、前記基準電流生成回路で生成した基準電流に応じて前記定電流源を駆動させることによって得られる前記定電流によって前記複数のヒータを駆動させ、
前記複数のヒータと駆動素子とは、複数のグループに分割され、
前記複数のグループ夫々に、定電流を供給するための前記定電流源が対応して配されており、
前記基準電流生成回路は、
ｎビットの論理信号を入力して一時的に格納するｎビットシフトレジスタと、
前記ｎビットシフトレジスタに格納された前記ｎビットの論理信号をラッチするラッチ回路と、
異なるレベルの電流を発生するｎ個の駆動回路と、
前記ｎ個の駆動回路により夫々発生した電流の総和を前記基準電流として出力する出力回路とを含み、
前記ｎ個の駆動回路は、前記ラッチ回路から出力される前記ｎビットの論理信号に従って選択駆動されることを特徴とする記録ヘッド用基板。
【請求項６】
前記複数の記録素子を、夫々が同時駆動する記録素子の数が１以下である複数のグループに分割することにより、前記複数の記録素子を駆動する制御回路をさらに有し、
前記基準電流生成回路は、前記定電流源が発生する定電流値を変化させるために外部より入力される電圧又は電流に従って、前記定電流源に与える基準電流を発生させることを特徴とする請求項５に記載の記録ヘッド用基板。
【請求項７】
前記基準電流生成回路は複数のカレントミラー回路を備えており、
前記複数のカレントミラー回路により前記入力される電圧又は電流に従って複数の基準電流を発生することを特徴とする請求項６に記載の記録ヘッド用基板。
【請求項８】
複数の定電流源が各々、複数のカレントミラー回路を備え、前記基準電流生成回路により発生した基準電流を与えることを特徴とする請求項７に記載の記録ヘッド用基板。
【請求項９】
前記複数の定電流源からの定電流は夫々、前記複数のヒータと複数の前記駆動素子とで構成される複数の記録素子群各々に対して供給されることを特徴とする請求項８に記載の記録ヘッド用基板。
【請求項１０】
前記ヒータ、前記駆動素子、及び前記定電流源が直列に接続されていることを特徴とする請求項６に記載の記録ヘッド用基板。
【請求項１１】
バンドギャップ電圧を増幅した電圧を基準電圧とする基準電圧回路をさらに有することを特徴とする請求項１に記載の記録ヘッド用基板。
【請求項１２】
前記記録素子、前記駆動素子、及び前記定電流源の順に、前記記録素子を駆動するために前記記録素子に接続された高電位配線から低電位配線の方向に配置されていることを特徴とする請求項１に記載の記録ヘッド用基板。
【請求項１３】
請求項１乃至１２のいずれか１項に記載の記録ヘッド用基板を用い、インクを吐出して記録を行うことを特徴とするインクジェット記録ヘッド。
【請求項１４】
請求項１３に記載のインクジェット記録ヘッドに供給するためのインクを保持したインクタンクを一体的に備えたことを特徴とするヘッドカートリッジ。
【手続補正２】
【補正対象書類名】明細書
【補正対象項目名】発明の名称
【補正方法】変更
【補正の内容】
【発明の名称】記録ヘッド用基板、インクジェット記録ヘッド、及びヘッドカートリッジ
【手続補正３】
【補正対象書類名】明細書
【補正対象項目名】００２３
【補正方法】変更
【補正の内容】
【００２３】
本発明は上記従来例に鑑みてなされたもので、各記録素子に所定電流を供給して高速に記録素子を駆動することができる記録ヘッド用基板と、その記録ヘッド用基板を用いたインクジェット記録ヘッドと、及び、その記録ヘッドを組み込んだヘッドカートリッジとを提供することを目的としている。
【手続補正４】
【補正対象書類名】明細書
【補正対象項目名】００２５
【補正方法】変更
【補正の内容】
【００２５】
即ち、複数の記録素子と、前記複数の記録素子を駆動するために用いる定電流を発生する定電流源と、外部から入力される論理信号に従って、前記定電流を発生させるための基準電流を生成する基準電流生成回路と、前記基準電流生成回路で生成した基準電流に応じて前記定電流源を駆動させることによって得られる前記定電流によって前記複数の記録素子を駆動させる駆動素子とを有し、前記基準電流生成回路は、ｎビットの論理信号を入力して一時的に格納するｎビットシフトレジスタと、前記ｎビットシフトレジスタに格納された前記ｎビットの論理信号をラッチするラッチ回路と、異なるレベルの電流を発生するｎ個の駆動回路と、前記ｎ個の駆動回路により夫々発生した電流の総和を前記基準電流として出力する出力回路とを含み、前記ｎ個の駆動回路は、前記ラッチ回路から出力される前記ｎビットの論理信号に従って選択駆動されることを特徴とする。
【手続補正５】
【補正対象書類名】明細書
【補正対象項目名】００２６
【補正方法】削除
【補正の内容】
【手続補正６】
【補正対象書類名】明細書
【補正対象項目名】００２７
【補正方法】削除
【補正の内容】
【手続補正７】
【補正対象書類名】明細書
【補正対象項目名】００２９
【補正方法】変更
【補正の内容】
【００２９】
また、前記基準電流生成回路は、前記ラッチ回路から出力される前記ｎビットの論理信号に従って、２n種類のレベルの電圧を出力可能な電圧調整回路と、前記電圧調整回路から電圧を変換して前記基準電流を出力する電圧−電流変換回路とをさらに含むように構成しても良い。
【手続補正８】
【補正対象書類名】明細書
【補正対象項目名】００３０
【補正方法】変更
【補正の内容】
【００３０】
またさらに、前記基準電流生成回路と定電流源とによりカレントミラー回路を構成していることが望ましい。なお、基準電圧回路は、バンドギャップ電圧を増幅した電圧を基準電圧とすることが望ましい。
【手続補正９】
【補正対象書類名】明細書
【補正対象項目名】００３１
【補正方法】変更
【補正の内容】
【００３１】
また、前記記録素子、前記駆動素子、及び前記定電流源の順に、前記記録素子を駆動するために前記記録素子に接続された高電位配線から低電位配線の方向に配置されていることが望ましい。
【手続補正１０】
【補正対象書類名】明細書
【補正対象項目名】００３２
【補正方法】変更
【補正の内容】
【００３２】
また他の発明によれば、複数のヒータと、前記複数のヒータ夫々に対応して設けられ前記ヒータを駆動するための駆動素子とを含む複数の記録素子と、前記複数の記録素子を駆動するために用いる定電流を発生する定電流源と、外部から入力される論理信号に従って、前記定電流を発生させるための基準電流を生成する基準電流生成回路とを有し、前記駆動素子は、前記基準電流生成回路で生成した基準電流に応じて前記定電流源を駆動させることによって得られる前記定電流によって前記複数のヒータを駆動させ、前記複数のヒータと駆動素子とは、複数のグループに分割され、前記複数のグループ夫々に、定電流を供給するための前記定電流源が対応して配されており、前記基準電流生成回路は、ｎビットの論理信号を入力して一時的に格納するｎビットシフトレジスタと、前記ｎビットシフトレジスタに格納された前記ｎビットの論理信号をラッチするラッチ回路と、異なるレベルの電流を発生するｎ個の駆動回路と、前記ｎ個の駆動回路により夫々発生した電流の総和を前記基準電流として出力する出力回路とを含み、前記ｎ個の駆動回路は、前記ラッチ回路から出力される前記ｎビットの論理信号に従って選択駆動されることを特徴とする記録ヘッド用基板を備える。
【手続補正１１】
【補正対象書類名】明細書
【補正対象項目名】００３３
【補正方法】変更
【補正の内容】
【００３３】
さらに、前記基準電流生成回路は複数のカレントミラー回路を備えて、前記複数のカレントミラー回路により前記入力される電圧又は電流に従って複数の基準電流を発生するように構成すると良い。
【手続補正１２】
【補正対象書類名】明細書
【補正対象項目名】００３４
【補正方法】変更
【補正の内容】
【００３４】
またさらに、複数の定電流源が各々、複数のカレントミラー回路を備え、前記基準電流生成回路により発生した基準電流を与えるようにすると良い。
【手続補正１３】
【補正対象書類名】明細書
【補正対象項目名】００３６
【補正方法】変更
【補正の内容】
【００３６】
さらに他の発明によれば、上記構成の記録ヘッド用基板を用い、インクを吐出して記録を行うインクジェット記録ヘッドを備える。
【手続補正１４】
【補正対象書類名】明細書
【補正対象項目名】００３７
【補正方法】削除
【補正の内容】
【手続補正１５】
【補正対象書類名】明細書
【補正対象項目名】００３９
【補正方法】削除
【補正の内容】